Podtech/llm-jp-corpus-v4-ja_patent huggingface dataset:
【手続補正書】
【提出日】令和2年7月31日(2020.7.31)
【手続補正１】
【補正対象書類名】特許請求の範囲
【補正対象項目名】全文
【補正方法】変更
【補正の内容】
【特許請求の範囲】
【請求項１】
共通の出力部に共に結合されるパルサー及び線形送信器、並びに、前記パルサー及び前記線形送信器と同じ集積回路にある送信／受信スイッチを含む高電圧送信器集積回路であって、前記パルサー及び前記線形送信器の前記共通の出力部と、前記送信／受信スイッチとは、トランスデューサアレイのトランスデューサ素子に結合されるように適合されている、高電圧送信器集積回路と、
前記共通の出力部に信号を提供するために前記パルサー又は前記線形送信器のいずれかを選択的にイネーブルする送信制御論理回路と、
前記高電圧送信器集積回路の前記送信／受信スイッチに結合される低電圧受信信号経路と、
を含む、
超音波システムフロントエンド回路。
【請求項２】
前記低電圧受信信号経路は、別個の低電圧集積回路にある、請求項１に記載の超音波システムフロントエンド回路。
【請求項３】
前記低電圧受信信号経路に結合されるビームフォーマＦＰＧＡを更に含む、請求項１に記載の超音波システムフロントエンド回路。
【請求項４】
前記パルサー及び前記線形送信器用の送信データを記憶するデジタル送信データメモリを更に含み、
前記デジタル送信データメモリは、前記ビームフォーマＦＰＧＡとは違う集積回路にある、請求項３に記載の超音波システムフロントエンド回路。
【請求項５】
前記デジタル送信データメモリと前記パルサーの入力部との間に結合されるパルサー論理回路と、前記デジタル送信データメモリと前記線形送信器の入力部との間に結合されるＤＡＣとを更に含む、請求項４に記載の超音波システムフロントエンド回路。
【請求項６】
前記低電圧受信信号経路と前記ビームフォーマＦＰＧＡとの間に結合されるアナログ−デジタル変換器を更に含む、請求項５に記載の超音波システムフロントエンド回路。
【請求項７】
前記低電圧受信信号経路は更に、１つ以上のＴＧＣ前置増幅器を含む、請求項６に記載の超音波システムフロントエンド回路。
【請求項８】
前記別個の低電圧集積回路にあるデジタル送信データメモリを更に含む、請求項２に記載の超音波システムフロントエンド回路。
【請求項９】
１２８個の対にされ、出力が接続されたパルサー及び線形送信器、並びに、前記パルサー及び前記線形送信器と同じ集積回路にある１２８個の送信／受信スイッチを含む複数の高電圧送信器集積回路と、
単一のビームフォーマＦＰＧＡと、
を更に含む、請求項１に記載の超音波システムフロントエンド回路。
【請求項１０】
正の高電圧源と負の高電圧源との間に直列に結合される高電圧トランジスタの相補的対を含む高電圧トランスデューサ駆動回路と、
前記高電圧トランジスタの一方に結合されるトランジスタサイズトリミング回路と、
を含み、
前記トランジスタサイズトリミング回路は、前記高電圧トランジスタの一方のサイズを選択的に調整する、超音波システムフロントエンド回路。
【請求項１１】
前記トランジスタサイズトリミング回路は更に、高電圧トランジスタの電極に結合される複数の制御可能なサイズ選択スイッチを含む、請求項１０に記載の超音波システムフロントエンド回路。
【請求項１２】
前記高電圧トランジスタのそれぞれに結合されるトランジスタサイズトリミング回路を更に含む、請求項１１に記載の超音波システムフロントエンド回路。
【請求項１３】
正の高電圧源と負の高電圧源との間に直列に結合される高電圧トランジスタの相補的対を含む高電圧トランスデューサ駆動回路と、
各高電圧トランジスタの電極に結合される低電圧駆動トランジスタと、
前記低電圧駆動トランジスタの１つに結合されるトランジスタ駆動トリミング回路と、
を含み、
前記トランジスタ駆動トリミング回路は、前記低電圧駆動トランジスタの１つの低電圧駆動トランジスタのバイアスを選択的に調整する、超音波システムフロントエンド回路。
【請求項１４】
前記トランジスタ駆動トリミング回路は更に、供給電圧部と前記低電圧駆動トランジスタとの間に結合される複数の制御可能なバイアス選択スイッチを含む、請求項１３に記載の超音波システムフロントエンド回路。
【請求項１５】
各低電圧駆動トランジスタに結合されるトランジスタ駆動トリミング回路を更に含む、請求項１４に記載の超音波システムフロントエンド回路。
【手続補正２】
【補正対象書類名】明細書
【補正対象項目名】０００６
【補正方法】変更
【補正の内容】
【０００６】
【図１】図１は、本発明の原理に従って構成された超音波システムフロントエンドのＩＣの構成をブロック図で示す。
【図２】図２は、本発明の原理に従って、パルサー及び線形波形送信器の両方と、送信−受信スイッチとが同じＩＣ上に集積化された送信ＩＣの概略図である。
【図３】図３は、本発明の原理に従って構成された送信制御及び受信器ＩＣのブロック図及び概略図である。
【図４】図４は、図１の超音波システムフロントエンド回路の動作を説明するフローチャートである。
【図５】図５は、図１から図３の超音波システムフロントエンド回路のパルサー及び線形波形送信器の両方を使用するカラーフロー画像用のエコー信号の取得を説明するフローチャートである。
【図６】図６は、図１から図３のフロントエンド回路を使用する超音波システムをブロック図で示す。
【手続補正３】
【補正対象書類名】明細書
【補正対象項目名】００１８
【補正方法】変更
【補正の内容】
【００１８】
図４に、超音波送信−受信走査シーケンスのために、図１から図３のフロントエンドＩＣ回路を動作させる方法が示される。ステップ１０２における開始において、超音波システムのバックエンドからＦＰＧＡ１０に、走査シーケンスを規定する情報が送信される。ステップ１０４において、ＦＰＧＡ１０は、送信制御及び受信器ＩＣ１６に、送信及び受信制御データを送信する。ステップ１０６において、ＩＣ１６は、次に、線形及びパルサー送信器ＩＣ１４に、送信制御データを送信する。ステップ１０８において、ＩＣ１６は、所望のＴＧＣ動作のために受信信号経路を調整する。ステップ１１０において、送信制御及び受信器ＩＣ１６内で送信波形が生成され、線形及びパルサー送信器ＩＣのイネーブルされたパルサーか又は線形送信器に印加され、トランスデューサ素子に所望のパルス又は線形波形を送信させ、結果として、エコー信号を受信させる。エコー信号は、Ｔ／Ｒスイッチ６０を介して、送信制御及び受信器ＩＣ１６の受信信号経路に結合され、そこで、ＴＧＣ増幅が適用される。ステップ１１２において、増幅されたエコー信号は、ＡＤＣ  ＩＣに印加され、ＡＤＣ  ＩＣは、増幅されたエコー信号をデジタル信号サンプルに変換する。ステップ１１４において、デジタルエコー信号サンプルが、ＦＰＧＡ１０内でのビーム形成のために、シリアルデータ線を介して、ＦＰＧＡ１０に送信される。
【手続補正書】
【提出日】令和2年5月25日(2020.5.25)
【手続補正１】
【補正対象書類名】特許請求の範囲
【補正対象項目名】全文
【補正方法】変更
【補正の内容】
【特許請求の範囲】
【請求項１】
調査研究アプリケーションを生成するための方法であって、
（ａ）ユーザに、サーベイ創出フォーム、タスク創出フォーム、ステップ創出フォーム及び分岐規則創出フォームを提供するステップと、
（ｂ）（ａ）への応答においてユーザから受信した情報に基づいて調査研究アプリケーションを生成するステップであって、前記調査研究アプリケーションは、前記調査研究アプリケーションと相互作用する調査研究参加者から情報を収集するように設定可能であるステップと、
を含む、方法。
【手続補正書】
【提出日】令和2年4月16日(2020.4.16)
【手続補正１】
【補正対象書類名】特許請求の範囲
【補正対象項目名】全文
【補正方法】変更
【補正の内容】
【特許請求の範囲】
【請求項１】
イオンビームを操作するための電極であって、該電極は、
イオンビームを通すようにする、該イオンビームのアパーチャを有する、挿入されたものであって、第１の導電材料を備える、挿入されたものと、
該挿入されたものを包囲して配置され、第２の導電材料を備える、フレームと、
該フレームを包囲して配置され、第３の導電材料を備える、外側部分と、を備え、
前記挿入されたものは、前記フレームからリバーシブルに取り付けることができ、前記フレームは、前記外側からリバーシブルに取り外すことができる、電極。
【請求項２】
前記第１の導電材料は前記第２の導電材料と異なり、前記第２の導電材料は前記第３の導電材料と異なる、請求項１記載の電極。
【請求項３】
前記電極は磁石アセンブリを更に備え、前記フレームは、前記磁石アセンブリを収容する凹部分を備える、請求項１記載の電極。
【請求項４】
非磁性材料であるカバー部分を更に備え、
該カバー部分は、少なくとも部分的に前記挿入されたものの上に配置され、前記挿入されたものから取り外すことができ、前記挿入されたものを前記フレームに取り付けるために、配置される、請求項１記載の電極。
【請求項５】
前記フレームは、前記外側から、回転自在に、取り付けることができ、取り外すことができる、請求項１記載の電極。
【請求項６】
前記挿入されたものは、黒鉛又はタンタルを含む、請求項２記載の電極。
【請求項７】
前記フレームはアルミニウムを含む、請求項２記載の電極。
【請求項８】
前記挿入されたものは、２．５インチから４インチの外径を備え、前記イオンビームのアパーチャは、１インチから３．２インチの直径を備える、請求項１記載の電極。
【請求項９】
イオンビームを加速するための加速器カラムであって、該加速器カラムは、
第１の複数の電極を備える電極アセンブリを備え、該第１の複数の電極は、互いに電気的に絶縁され、
前記電極アセンブリの所定の電極は、
前記イオンビームを通すようにする、前記イオンビームのアパーチャを有する、挿入されたものと、
該挿入されたものを包囲して配置される、フレームと、
該フレームを包囲して配置される、外側部分と、を備え、
前記挿入されたものを前記フレームからリバーシブルに取り付けることができ、前記フレームを前記外側からリバーシブルに取り外すことができ、前記挿入されたもの、前記フレーム及び前記外側である、加速器カラム。
【請求項１０】
前記挿入されたものは第１の材料を備え、挿入されたものと、前記フレームは第２の材料を備え、前記外側部分は第３の材料を備え、
前記第１の材料は前記第２の材料と異なり、前記第２の材料は前記第３の材料と異なる、請求項９記載の加速器カラム。
【請求項１１】
前記加速器カラムは、可変のイオンビームのアパーチャサイズを備え、前記第１の複数の電極の第１の電極の第１のイオンビームのアパーチャは第１の直径を有し、前記第１の複数の電極の第２の電極の第２のイオンビームのアパーチャは第２の直径を有し、前記第２の直径は前記第１の直径と異なる、請求項９記載の加速器カラム。
【請求項１２】
前記電極アセンブリは、第１の電極アセンブリを備え、前記加速器カラムは、更に第２の電極アセンブリを備え、該第２の電極アセンブリは前記第１の電極アセンブリに隣接して配置され、前記第２の電極アセンブリは少なくとも１つの追加の電極を備え、該少なくとも１つの追加の電極は、単一構造を有する導電材料を備える、請求項９記載の加速器カラム。
【請求項１３】
イオン注入機であって、該イオン注入機は、
イオンビームを生成するためのイオン源と、
前記イオンビームを加速するための加速器カラムであって、前記イオン源の下流に配置される加速器カラムと、を備え、該加速器カラムは、
第１の複数の電極を備える第１の電極アセンブリを備え、該第１の複数の電極は、互いに電気的に絶縁され、
前記第１の電極アセンブリの所定の電極は、
前記イオンビームを通すようにする、前記イオンビームのアパーチャを有する、挿入されたものと、
該挿入されたものを包囲して配置される、フレームと、
該フレームを包囲して配置される、外側部分と、を備え、
前記挿入されたものを前記フレームからリバーシブルに取り外すことができ、前記フレームを前記外側からリバーシブルに取り付けることができ、前記挿入されたもの、前記フレーム及び前記外側である、イオン注入機。
【請求項１４】
前記加速器カラムは第１の加速器カラムを備え、
前記イオン注入機は、さらに、
前記第１の加速器カラムに隣接して配置される電荷交換チャンバと、
該電荷交換チャンバに隣接して、前記第１の加速器カラムの下流に配置される第２の加速器カラムと、を備え、該第２の加速器カラムは、
第２の複数の電極を備える追加の電極アセンブリを備え、該第２の複数の電極は、互いに電気的に絶縁され、
前記追加の電極アセンブリの所定の電極は、
イオンビームを通すようにする、前記イオンビームのアパーチャを有する、挿入されたものと、
該挿入されたものを包囲して配置される、フレームと、
該フレームを包囲して配置される、外側部分と、を備え、
前記挿入されたものを前記フレームからリバーシブルに取り外すことができ、前記フレームを前記外側からリバーシブルに取り付けることができ、前記挿入されたもの、前記フレーム及び前記外側である、請求項１３記載のイオン注入機。
【請求項１５】
少なくとも前記第１の加速器カラムは，さらに，第２の電極アセンブリを備え、該第２の電極アセンブリは前記第１の電極アセンブリに隣接して配置され、前記第２の電極アセンブリは少なくとも１つの追加の電極を備え、該少なくとも１つの追加の電極は単一構造を有する電導材料を備える、請求項１４記載のイオン注入機。
【手続補正２】
【補正対象書類名】明細書
【補正対象項目名】０００７
【補正方法】変更
【補正の内容】
【０００７】
さらなる実施態様において、イオン注入機は、イオンビームを生成するためのイオン源と、前記イオンビームを加速するための加速器カラムであって、前記イオン源の下流に配置される加速器カラムと、を含んでもよく、該加速器カラムは、第１の複数の電極を備える第１の電極アセンブリを備え、該第１の複数の電極は、互いに電気的に絶縁され、前記第１の電極アセンブリの所定の電極は、前記イオンビームを通すようにする、前記イオンビームのアパーチャを有する、挿入されたものと、該挿入されたものを包囲して配置される、フレームと、該フレームを包囲して配置される、外側部分と、を備え、前記挿入されたものを前記フレームからリバーシブルに取り外すことができ、前記フレームを前記外側からリバーシブルに取り付けることができ、前記挿入されたもの、前記フレーム及び前記外側である。
【手続補正書】
【提出日】令和2年7月8日(2020.7.8)
【手続補正１】
【補正対象書類名】特許請求の範囲
【補正対象項目名】全文
【補正方法】変更
【補正の内容】
【特許請求の範囲】
【請求項１】
複数のＬＥＤランプを並列に駆動するよう構成される発光ダイオード装置であって、前記発光ダイオード装置が、
前記複数のＬＥＤランプにＬＥＤ駆動電流を供給するよう適合される少なくとも１つのＬＥＤ駆動回路であって、前記ＬＥＤ駆動電流の最大値を設定するための電流設定抵抗回路を含む少なくとも１つのＬＥＤ駆動回路と、
前記ＬＥＤランプの各々を流れる電流の検出によって、前記複数のＬＥＤランプの各々の有無の検出をするよう適合される検出回路とを有し
前記検出回路が、前記有無の検出に基づいて前記電流設定抵抗回路を調節するよう構成される発光ダイオード装置。
【請求項２】
単一のＬＥＤ駆動回路を更に有し、
前記発光ダイオード装置が、前記複数のＬＥＤランプと前記単一のＬＥＤ駆動回路とを備えるレトロフィットシステムである請求項１に記載の発光ダイオード装置。
【請求項３】
存在する各ＬＥＤランプが管状形状を有する請求項１に記載の発光ダイオード装置。
【請求項４】
前記電流設定抵抗回路が、複数の設定抵抗器と、複数のトランジスタとを有する請求項１に記載の発光ダイオード装置。
【請求項５】
前記電流設定抵抗回路が、前記発光ダイオード装置の構成要素として取り付けられる請求項４に記載の発光ダイオード装置。
【請求項６】
前記電流設定抵抗回路が、各ＬＥＤランプのために同一の回路部品を同一の配置で含む請求項４に記載の発光ダイオード装置。
【請求項７】
前記有無の検出に基づいてＬＥＤ駆動回路の前記ＬＥＤ駆動電流を設定するよう適合される電流設定抵抗回路を更に有する請求項１に記載の発光ダイオード装置。
【請求項８】
発光ダイオード装置の複数のＬＥＤランプを駆動するための方法であって、
ＬＥＤ駆動電流を、前記ＬＥＤ駆動電流の最大値を設定するために用いられる電流設定抵抗回路を含むＬＥＤ駆動回路によって、前記複数のＬＥＤランプに供給するステップと、
各ＬＥＤランプを流れる電流を検出する検出回路を用いて、前記複数のＬＥＤランプの各々の有無の検出をするステップと、
前記有無の検出に基づいて前記電流設定抵抗回路を調節するステップとを有する方法。
【請求項９】
前記ＬＥＤランプが、単一のＬＥＤ駆動回路を備えるレトロフィットシステム内にある、請求項８に記載の複数のＬＥＤランプを駆動するための方法。
【請求項１０】
前記電流設定抵抗回路が、前記ＬＥＤランプのうちの１つがないことの検出に応じて並列設定抵抗器を内部へ切り替えることによって調節される、請求項８に記載の複数のＬＥＤランプを駆動するための方法。
【請求項１１】
前記電流設定抵抗回路と、複数の抵抗器及び複数のトランジスタを含む電流設定抵抗回路の付加的な抵抗器とを用いて、ＬＥＤ駆動電流を調節するステップを更に有する、請求項８に記載の複数のＬＥＤランプを駆動するための方法。
【請求項１２】
前記電流設定抵抗回路が、前記発光ダイオード装置の構成要素である、請求項１１に記載の複数のＬＥＤランプを駆動するための方法。
【請求項１３】
前記電流設定抵抗回路が、各ＬＥＤランプのために同一の回路部品を同一の配置で含む、請求項１１に記載の複数のＬＥＤランプを駆動するための方法。
【請求項１４】
存在しないＬＥＤランプごとに、回路部品の同一のセットを１つ内部へ切り替えるステップを更に有する、請求項１３に記載の複数のＬＥＤランプを駆動するための方法。
【請求項１５】
存在しないＬＥＤランプごとに、回路部品の同一のセットを１つ外部へ切り替えるステップを更に有する、請求項１３に記載の複数のＬＥＤランプを駆動するための方法。
【手続補正書】
【提出日】令和2年7月20日(2020.7.20)
【手続補正１】
【補正対象書類名】特許請求の範囲
【補正対象項目名】全文
【補正方法】変更
【補正の内容】
【特許請求の範囲】
【請求項１】
保持プレートと、ベースプレートと、サポートのアレイと、熱吸収材料のドロップレットのアレイと、を備える基板保持デバイスであって、
前記保持プレートは、基板を保持するための第１の側部を備え、
前記ベースプレートは、前記保持プレートから所定の距離に配置されており、前記第１の側部から離れる方に面する前記保持プレートの第２の側部において、前記ベースプレートと前記保持プレートとの間にギャップを提供し、
前記サポートのアレイは、少なくとも前記保持プレートと前記ベースプレートとの間に配置されており、
前記ドロップレットは、前記保持プレートと前記ベースプレートとの間の前記ギャップの中に配置されており、前記ドロップレットは、前記サポートから間隔を離して配置されており、前記ドロップレットのアレイのうちの他のドロップレットから間隔を離して配置されており、前記ドロップレットは、前記ベースプレートと前記保持プレートの両方に接触するように配置されている、基板保持デバイス。
【請求項２】
前記ドロップレットは、前記ギャップに沿った方向への前記ドロップレットの実質的に自由な膨張を可能にするように配置されている、請求項１に記載の基板保持デバイス。
【請求項３】
前記サポートのアレイは、前記保持プレートの前記第２の側部に固定して取り付けられている、請求項１または２に記載の基板保持デバイス。
【請求項４】
前記サポートのアレイは、前記ベースプレートに固定して取り付けられている、請求項１、２、または３に記載の基板保持デバイス。
【請求項５】
前記基板保持デバイスは、リングのアレイをさらに備え、前記リングのアレイは、前記保持プレートと前記ベースプレートとの間の前記ギャップの中に配置されており、前記リングのアレイのうちのそれぞれのリングは、前記ドロップレットのアレイのうちの１つのドロップレットを取り囲むように配置されている、請求項１から５のいずれか一項に記載の基板保持デバイス。
【請求項６】
前記リングの厚さは、前記保持プレートと前記ベースプレートとの間の前記ギャップの幅よりも小さくなっている、請求項５に記載の基板保持デバイス。
【請求項７】
前記リングは、可撓性のまたは弾性的な材料から作製されている、請求項５または６に記載の基板保持デバイス。
【請求項８】
前記ギャップに面する前記ベースプレートの表面、および／または、前記ギャップに面する前記保持プレートの表面は、ポケットのアレイを設けられており、前記ポケットのアレイのポケットにおける前記保持プレートと前記ベースプレートとの間の前記ギャップの幅は、前記ポケットの周りにおける前記保持プレートと前記ベースプレートとの間の前記ギャップの幅よりも大きくなっており、前記ポケットのアレイのうちのそれぞれのポケットは、前記ドロップレットのアレイのうちの１つのドロップレットを保持するように配置されている、請求項１から７のいずれか一項に記載の基板保持デバイス。
【請求項９】
前記ギャップに面する前記ベースプレートの表面は、ポケットのアレイを備え、前記ポケットのアレイのうちのそれぞれのポケットは、弾性的な部材を備え、前記弾性的な部材は、前記ポケットに架かっており、前記ポケットの底部表面から間隔を離して配置されており、それぞれのポケットは、前記ドロップレットのアレイからのドロップレットを備え、前記ドロップレットは、前記弾性的な部材と前記保持プレートとの間に配置されている、請求項１から７のいずれか一項に記載の基板保持デバイス。
【請求項１０】
前記弾性的な部材と前記保持プレートとの間の距離は、前記保持プレートと前記ポケットに隣接する前記ベースプレートの前記表面との間の距離よりも大きくなっている、請求項９に記載の基板保持デバイス。
【請求項１１】
それぞれのポケットは、リングまたはループを備え、前記リングまたはループは、前記保持プレートと前記弾性的な部材との間の前記ギャップの中に配置されており、前記リングまたは前記ループは、前記ポケットの中のドロップレットを取り囲むように配置されている、請求項９又は１０に記載の基板保持デバイス。
【請求項１２】
前記ベースプレートは、ガス抜き用孔部を設けられており、前記ガス抜き用孔部は、前記ポケットの底部表面の中に進出しており、前記ガス抜き用孔部は、好ましくは、実質的に前記ポケットの中央に進出している、請求項８から１１のいずれか一項に記載の基板保持デバイス。
【請求項１３】
基板処理装置または基板像形成装置の中で使用するための請求項１から１２のいずれか一項に記載の基板保持デバイスであって、前記ドロップレットのアレイのうちの前記ドロップレットは、前記基板処理装置または基板像形成装置の動作温度においてまたはその近くに、溶融温度または溶融範囲を有する材料を備える、基板保持デバイス。
【請求項１４】
前記ギャップは、前記基板保持デバイスの外側への開いた接続を備え、好ましくは、前記ギャップは、前記基板保持デバイスの周囲の側部縁部において実質的に開口している、請求項１から１３のいずれか一項に記載の基板保持デバイス。
【請求項１５】
サンプルを処理または像形成するための装置であって、
エネルギーを有する電磁放射線または粒子のための供給源と、
エネルギーを有する前記電磁放射線または粒子で前記サンプルを露光するための露光ユニットと、
少なくとも前記露光の間に前記サンプルを保持するための請求項１から１４のいずれか一項に記載の基板保持デバイスと、
を備える、装置。
【手続補正書】
【提出日】令和2年7月27日(2020.7.27)
【手続補正１】
【補正対象書類名】特許請求の範囲
【補正対象項目名】請求項１１
【補正方法】変更
【補正の内容】
【請求項１１】
前記カルコゲニドは、硫化鉛（ＰｂＳ）、銅インジウム硫化物（ＣＩＳ）、銅インジウムガリウムセレン（ＣＩＧＳ）、銅亜鉛スズ硫化物（ＣＺＴＳ）、セレン化鉛（ＰｂＳｅ）、銅亜鉛スズセレン化物（ＣＺＴＳｅ）、テルル化カドミウム（ＣｄＴｅ）、テルル化水銀カドミウム（ＨｇＣｄＴｅ）、テルル化水銀亜鉛（ＨｇＺｎＴｅ）、硫セレン化鉛（ＰｂＳＳｅ）、銅−亜鉛−硫化スズ−セレンカルコゲニド（ＣＺＴＳＳｅ）およびその固溶体および／またはそのドープ変形から成る群から選択される請求項１から１０のいずれか１項に記載の光センサ（１１０）。
【手続補正書】
【提出日】令和2年5月8日(2020.5.8)
【手続補正１】
【補正対象書類名】特許請求の範囲
【補正対象項目名】全文
【補正方法】変更
【補正の内容】
【特許請求の範囲】
【請求項１】
ユーザ機器(UE)におけるワイヤレス通信のための方法であって、
共有無線周波数スペクトル帯域を通じて送信される複数の連続的な送信時間間隔(TTI)を含むスケジューリングされた参照送信バーストのための複数のアップリンクグラントのうちの少なくとも1つのアップリンクグラントを受信するステップであって、前記複数のアップリンクグラントの中の少なくとも第1のアップリンクグラントが、前記第1のアップリンクグラントが前記スケジューリングされた参照送信バーストの第1のスケジューリングされたTTIと関連付けられることの第1の指示、前記スケジューリングされた参照送信バースト内での前記第1のスケジューリングされたTTIの場所の第2の指示、またはこれらの組合せを含む、ステップと、
前記少なくとも1つのアップリンクグラントに従って、前記スケジューリングされた参照送信バーストの少なくとも1つのTTIの間に送信するステップであって、前記送信するステップが第1の送信TTIの間に開始する、ステップと、
参照TTIの指示を受信するステップであって、前記参照TTIが前記スケジューリングされた参照送信バーストの間に前記UEによる送信のために使用される、ステップと、
前記共有無線周波数スペクトル帯域へのアクセスをめぐって競合するために前記UEによって使用可能なコンテンションウィンドウサイズを決定するステップであって、前記決定するステップが、前記第1のスケジューリングされたTTIと、前記参照TTIと、前記第1の送信TTIとの間の関係に少なくとも一部基づく、ステップとを備える、方法。
【請求項２】
前記スケジューリングされた参照送信バーストのための前記複数のアップリンクグラントの各アップリンクグラントが、前記スケジューリングされた参照送信バーストの前記第1のスケジューリングされたTTIの前記場所の指示を備える、請求項1に記載の方法。
【請求項３】
前記参照TTIの前記指示が、前記第1のスケジューリングされたTTIに対して相対的である、請求項1に記載の方法。
【請求項４】
前記関係が、前記第1の送信TTIが前記参照TTIより早いこと、前記第1の送信TTIが前記参照TTIより遅いこと、または前記第1の送信TTIが前記参照TTIと同じであることを含む、請求項1に記載の方法。
【請求項５】
プロセッサによって実行されると、請求項1から4のいずれか一項に記載の方法を実行させるための命令を備える、コンピュータプログラム。
【請求項６】
ユーザ機器(UE)におけるワイヤレス通信のための装置であって、
共有無線周波数スペクトル帯域を通じて送信される複数の連続的な送信時間間隔(TTI)を含むスケジューリングされた参照送信バーストのための複数のアップリンクグラントのうちの少なくとも1つのアップリンクグラントを受信するための手段であって、前記複数のアップリンクグラントの中の少なくとも第1のアップリンクグラントが、前記第1のアップリンクグラントが前記スケジューリングされた参照送信バーストの第1のスケジューリングされたTTIと関連付けられることの第1の指示、前記スケジューリングされた参照送信バースト内での前記第1のスケジューリングされたTTIの場所の第2の指示、またはこれらの組合せを含む、手段と、
前記少なくとも1つのアップリンクグラントに従って、前記スケジューリングされた参照送信バーストの少なくとも1つのTTIの間に送信するための手段であって、前記送信するステップが第1の送信TTIの間に開始する、手段と、
参照TTIの指示を受信するための手段であって、前記参照TTIが前記スケジューリングされた参照送信バーストの間に前記UEによる送信のために使用される、手段と、
前記共有無線周波数スペクトル帯域へのアクセスをめぐって競合するために前記UEによって使用可能なコンテンションウィンドウサイズを決定するための手段であって、前記決定することが、前記第1のスケジューリングされたTTIと、前記参照TTIと、前記第1の送信TTIとの間の関係に少なくとも一部基づく、手段とを備える、装置。
【請求項７】
前記スケジューリングされた参照送信バーストのための前記複数のアップリンクグラントの各アップリンクグラントが、前記スケジューリングされた参照送信バーストの前記第1のスケジューリングされたTTIの前記場所の指示を備える、請求項6に記載の装置。
【請求項８】
前記参照TTIの前記指示が、前記第1のスケジューリングされたTTIに対して相対的である、請求項6に記載の装置。
【請求項９】
前記関係が、前記第1の送信TTIが前記参照TTIより早いこと、前記第1の送信TTIが前記参照TTIより遅いこと、または前記第1の送信TTIが前記参照TTIと同じであることを含む、請求項6に記載の装置。
【手続補正書】
【提出日】令和2年7月1日(2020.7.1)
【手続補正１】
【補正対象書類名】特許請求の範囲
【補正対象項目名】全文
【補正方法】変更
【補正の内容】
【特許請求の範囲】
【請求項１】
メディアデータを検索する方法であって、前記方法は、
メディアデータの表現のセグメントに利用可能なセグメントチャンクの数を示す属性を含むマニフェストファイルを受信することと、前記属性は、メディアプレゼンテーション記述（ＭＰＤ）のSegmentTimeline要素のＳ要素に含まれ、前記セグメントは、ユニークユニフォームリソースロケータ（ＵＲＬ）を有する独立して検索可能なメディアファイルを備える、
前記セグメントに利用可能なチャンクの前記数を示す前記データを使用して、前記チャンクのうちの１つのための識別子を決定することと、
サーバデバイスに、前記チャンクのうちの前記１つのための前記識別子を指定する要求を送ることと、
を備える、方法。
【請求項２】
セグメントチャンクの前記数を示す前記属性は、＠ｋ属性である、請求項１に記載の方法。
【請求項３】
前記チャンクのうちの前記１つのための前記識別子を決定することは、前記セグメントチャンクのための$Number$テンプレートに従って前記識別子を決定することを備える、請求項１に記載の方法。
【請求項４】
前記チャンクのうちの前記１つのための前記識別子を決定することは、階層型アドレッシング方式に従って前記識別子を決定することを備える、請求項１に記載の方法。
【請求項５】
前記階層型アドレッシング方式は、前記識別子のための第１の部分と第２の部分とを指定する、請求項４に記載の方法。
【請求項６】
前記第１の部分は、前記セグメントのための識別番号、または、前記セグメントのためのタイミング情報を指定する、請求項５に記載の方法。
【請求項７】
前記第１の部分は、前記セグメントのためのタイミング情報を指定し、前記タイミング情報は、前記セグメントがプレイされ始めるべき再生時間を示す、請求項５に記載の方法。
【請求項８】
前記第２の部分は、前記チャンクのうちの前記１つの通常の識別子を示す、請求項５に記載の方法。
【請求項９】
前記要求を送ることは、ＨＴＴＰ ＧＥＴ要求またはＨＴＴＰ部分的ＧＥＴ要求のうちの１つを送ることを備える、または、
セグメントチャンクは、それぞれのＵＲＬを有する複数のセグメントを備えるセグメントシーケンスとして提供され、前記方法は、ＵＲＬテンプレートに従って前記ＵＲＬを決定することをさらに備える、
請求項１に記載の方法。
【請求項１０】
前記マニフェストファイルは、前記セグメントチャンクのための正確なセグメント持続時間を表現しない、または、
前記識別子を決定することは、前記セグメントチャンクのための持続時間を決定することなく、前記識別子を決定することを備える、
請求項１に記載の方法。
【請求項１１】
前記セグメントのための開始時間、前記セグメントの持続時間、およびセグメントチャンクの前記数を示す前記マニフェストファイルの前記データを使用して、前記セグメントチャンクのためのセグメント利用可能開始時間を決定すること、または、
前記マニフェストファイルから前記セグメントのための持続時間値を決定することと、前記セグメントチャンクのための持続時間値を決定するために、前記持続時間値をセグメントチャンクの前記数で除算することと、
をさらに備える、請求項１に記載の方法。
【請求項１２】
メディアデータを送る方法であって、前記方法は、
メディアデータの表現のセグメントに利用可能なセグメントチャンクの数を示す属性を含むマニフェストファイルを生成することと、前記属性は、メディアプレゼンテーション記述（ＭＰＤ）のSegmentTimeline要素のＳ要素に含まれ、前記セグメントは、ユニークユニフォームリソースロケータ（ＵＲＬ）を有する独立して検索可能なメディアファイルを備える、
クライアントデバイスに前記マニフェストファイルを送ることと、
前記クライアントデバイスから、前記チャンクのうちの１つのための識別子を指定する要求を受信することと、
前記要求に応答して、前記クライアントデバイスに、前記識別子によって示される前記チャンクのうちの前記要求された１つを送ることと、
を備える、方法。
【請求項１３】
実行されると、プロセッサに、請求項１乃至１１または請求項１３のうちのいずれか１つの方法を実行させる命令が記憶されたコンピュータ可読記憶媒体。
【請求項１４】
メディアデータを検索するためのデバイスであって、前記デバイスは、回路に実装された１つまたは複数のプロセッサを備え、前記１つまたは複数のプロセッサは、
メディアデータの表現のセグメントに利用可能なセグメントチャンクの数を示す属性を含むマニフェストファイルを受信することと、前記属性は、メディアプレゼンテーション記述（ＭＰＤ）のSegmentTimeline要素のＳ要素に含まれ、前記セグメントは、ユニークユニフォームリソースロケータ（ＵＲＬ）を有する独立して検索可能なメディアファイルを備える、
前記セグメントに利用可能なチャンクの前記数を示す前記データを使用して、前記チャンクのうちの１つのための識別子を決定することと、
サーバデバイスに、前記チャンクのうちの前記１つのための前記識別子を指定する要求を送ることと、
を行うように構成された、デバイス。
【請求項１５】
メディアデータを送るためのサーバデバイスであって、前記サーバデバイスは、
マニフェストファイルと前記メディアデータとを記憶するように構成されたメモリと、
回路に実装された1つまたは複数のプロセッサと、を備え、
前記１つまたは複数のプロセッサは、
前記メディアデータの表現のセグメントに利用可能なセグメントチャンクの数を示す属性を含むように前記マニフェストファイルを生成することと、前記属性は、メディアプレゼンテーション記述（ＭＰＤ）のSegmentTimeline要素のＳ要素に含まれ、前記セグメントは、ユニークユニフォームリソースロケータ（ＵＲＬ）を有する独立して検索可能なメディアファイルを備える、
クライアントデバイスに前記マニフェストファイルを送ることと、
前記クライアントデバイスから、前記チャンクのうちの１つのための識別子を指定する要求を受信することと、
前記要求に応答して、前記クライアントデバイスに、前記識別子によって示される前記チャンクのうちの前記要求された１つを送ることと、
を行うように構成された、
サーバデバイス。
【手続補正書】
【提出日】令和2年5月28日(2020.5.28)
【手続補正１】
【補正対象書類名】特許請求の範囲
【補正対象項目名】全文
【補正方法】変更
【補正の内容】
【特許請求の範囲】
【請求項１】
データが複製される先となるネットワーク内のネットワークノードを識別するための装置により実行される方法であって、
属性ベースの暗号化スキームに従ってセッション鍵を暗号化するステップと、
前記ネットワーク内に前記暗号化されたセッション鍵をブロードキャストするステップと、
前記ネットワーク内の少なくとも１つのネットワークノードから前記セッション鍵を用いて暗号化された少なくとも１つのメッセージを受信するステップと、
前記データが複製される先となるネットワークノードを、当該ネットワークノードが前記セッション鍵を用いてメッセージを暗号化することが可能であることに基づいて、前記少なくとも１つのネットワークノードから選択するステップと、
を有する方法。
【請求項２】
前記少なくとも１つのネットワークノードは、少なくとも１つの仮想マシンを有する、請求項１に記載の方法。
【請求項３】
前記セッション鍵を暗号化するために用いられる属性は、１つ以上の地理的な位置を規定する地理位置方針を有する、請求項１又は２に記載の方法。
【請求項４】
前記地理位置方針は、データが複製されることが許可された位置として、１つ以上の地理的な位置のうちの少なくとも１つを識別する、請求項３に記載の方法。
【請求項５】
前記地理位置方針は、データが複製されることが許可されていない位置として、１つ以上の地理的な位置のうちの少なくとも１つを識別する、請求項３又は４に記載の方法。
【請求項６】
前記選択されたネットワークノード以外の、前記ネットワーク内の特定のネットワークノードから、前記暗号化されたセッション鍵が前記特定のネットワークノードにより復号化されることができないことを示すメッセージを受信するステップを更に有する、請求項１乃至５のいずれか一項に記載の方法。
【請求項７】
前記暗号化するステップ及び前記ブロードキャストするステップは、前記ネットワーク内の少なくとも１つのセキュアなトンネルの失効に応答して実行される、請求項１乃至６のいずれか一項に記載の方法。
【請求項８】
ネットワーク内のデータ複製を容易化するための、ネットワークノードにおける処理装置により実行される方法であって、
属性ベースの暗号化スキームに従って暗号化されたセッション鍵を含むメッセージを、元の装置から受信するステップと
方針鍵を用いて前記メッセージを復号化するよう試みるステップと、
前記メッセージを復号化する試みが成功したか否かを決定するステップと、
前記メッセージを復号化する試みが成功したとの決定に応じて、
前記セッション鍵によって返答メッセージを暗号化するステップと、
前記元の装置からの前記メッセージを復号化することが可能であることを示すために前記元の装置に前記返答メッセージを送信するステップと、
を有する方法。
【請求項９】
前記メッセージを復号化する試みが失敗したとの決定に応じて、
前記復号化が失敗したことの示唆を前記元の装置に送信するステップ
を更に有する、請求項８に記載の方法。
【請求項１０】
前記セッション鍵を暗号化するために用いられる属性は、１つ以上の地理的な位置を規定する地理位置方針を有し、
前記方針鍵は、前記処理装置が位置する地理的な位置に特有なものである、
請求項８又は９に記載の方法。
【請求項１１】
前記処理装置が位置する地理的な位置に割り当てられた鍵サーバを識別するステップと、
前記鍵サーバを用いて認証するステップと、
前記鍵サーバから方針鍵を受信するステップと、
を更に有する、請求項１０に記載の方法。
【請求項１２】
前記元の装置から複製されるべきデータを受信するステップと、
後のアクセスのため前記複製されるべきデータを保存するステップと、
を更に有する、請求項８に記載の方法。
【請求項１３】
通信インタフェースと、メモリと、請求項１乃至７のいずれか一項に記載の方法又は請求項８乃至１２のいずれか一項に記載の方法を実行するよう構成されたプロセッサと、を有する装置。
【請求項１４】
請求項１乃至７のいずれか一項に記載の方法又は請求項８乃至１２のいずれか一項に記載の方法を実行するための命令を有する、プロセッサによる実行のための命令をエンコードされた、持続性機械読み取り可能媒体。
【手続補正書】
【提出日】令和2年6月8日(2020.6.8)
【手続補正１】
【補正対象書類名】特許請求の範囲
【補正対象項目名】全文
【補正方法】変更
【補正の内容】
【特許請求の範囲】
【請求項１】
隠し構造の通信アンテナ及び照明構成（２）であって、
構造体に取り付けられるように構成された基部（２２）と、前記基部の周辺部に隣接して周方向に配置された外側壁（２３）とを有し、前記外側壁（２３）は前記基部（２２）から離れる方向に所定の距離だけ延びており、前記基部（２２）は、その周辺部と前記外側壁の間にあり、該基部（２２）が前記外側壁（２３）から前記基部（２２）の周辺部の縁部までの半径方向距離にわたって延びる座部を定めるように構成された、取付台（２１）と、
前記外側壁（２３）内に同心に配置され、前記基部（２２）から上向きに前記外側壁（２３）と実質的に同じ距離だけ延びる内側壁（２５）と、
前記内側壁（２５）と前記外側壁（２３）との間で前記基部（２２）に、又は該基部に隣接して取り付けられ、光を前記基部（２２）から離れる方向に指向させるようにされた複数のソリッドステート照明要素（２８）と、
前記内側壁（２５）に取り付けられ、そこから所定の距離だけ上向きに延びる通信アンテナ（２７）と、
前記アンテナ（２７）の周りに配置され、前記内側壁（２５）より上方に所定の距離だけ延び、上端部（３６Ａ）が閉鎖しているレードーム（３５）と、
前記外側壁上に、又は前記基部上若しくは該基部に隣接して取り付けられ、前記レードームの前記上端部より上方に所定の高さだけ延び、実質的にこれと同心である照明構成カバー（３８）と、
を備え、
前記照明構成カバー（３８）は、前記ソリッドステート照明要素（２８）が光を前記レードーム（３５）と前記照明構成カバー（３８）との間に指向させるように上端部（３６Ａ）が閉鎖しており、
前記照明構成カバー（３８）は、透明又は半透明材料から形成され、前記ソリッドステート照明要素（２８）からの光が該カバー（３８）を通って拡散するのを可能にする、
ことを特徴とする、隠し構造の通信アンテナ及び照明構成（２）。
【請求項２】
前記レードーム（３５）の下端部とアンテナ取り付けリング（３０）との間に下部カバー（３６）が配置された、隠し構造の通信アンテナ及び照明構成（２）。
【請求項３】
前記構造体は、建物のファサード若しくは屋根、又はこれに取り付けられた取り付け用プラットフォーム、又は上向きに延びる柱であることを特徴とする、請求項１又は２に記載の通信アンテナ及び照明構成（２）。
【請求項４】
前記通信アンテナ及び照明構成（２）は、街路柱の上に垂直方向又は水平方向に取り付けられることを特徴とする、請求項２又は３に記載の通信アンテナ及び照明構成（２）。
【請求項５】
照明構成カバーは、アクリル又はメタクリル酸ポリマーから形成されることを特徴とする、請求項１に記載の通信アンテナ及び照明構成（２）。
【請求項６】
前記通信アンテナは、４Ｇ／５Ｇ  ＬＴＥ電気通信アンテナであることを特徴とする、請求項１に記載の通信アンテナ及び照明構成（２）。
【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
前立腺特異的膜抗原（ＰＳＭＡ）に特異的に結合する抗体またはその抗原結合フラグメントであって、
（ｉ）ＬＣＤＲ１、ＬＣＤＲ２およびＬＣＤＲ３が、配列番号９、１３および１７ならびに配列番号９、４１および１７からなる群から選択されるＬＣＤＲセットのそれぞれの配列を含む、軽鎖領域；および
（ｉｉ）ＨＣＤＲ１、ＨＣＤＲ２およびＨＣＤＲ３が、配列番号２５、２９および３３、配列番号４５、２９および３３ならびに配列番号４５、２９および４９からなる群から選択されるＨＣＤＲセットのそれぞれの配列を含む、重鎖領域
を含む、抗体または抗原結合フラグメント。
【請求項２】
前記軽鎖領域が配列番号５、７、１１、１５、１９、３９、４３、６１、６３、６５、６７および６９の配列の１以上を含む、請求項１に記載の抗体またはその抗原結合フラグメント。
【請求項３】
前記重鎖領域が配列番号２１、２３、２７、３１、３５、４７、５１、５３、５５、５、５９および６８の配列の１以上を含む、請求項１または２に記載の抗体またはその抗原結合フラグメント。
【請求項４】
前記抗体またはその抗原結合フラグメントが配列番号３および３７の配列の１以上を含む、請求項１〜３のいずれか１項に記載の抗体またはその抗原結合フラグメント
【請求項５】
前記抗体またはその抗原結合フラグメントが、ＩｇＧｌ、ＩｇＧ２、ＩｇＧ３、ＩｇＧ４、ＩｇＭ、ＩｇＡｌ、ＩｇＡ２、ＩｇＡｓｅｃ、ＩｇＤ、ＩｇＥからなる群から選択されるか、またはＩｇＧｌ、ＩｇＧ２、ＩｇＧ３、ＩｇＧ４、ＩｇＭ、ＩｇＡｌ、ＩｇＡ２、ＩｇＡｓｅｃ、ＩｇＡまたはＩｇＥの免疫グロブリン定常ドメインおよび／または可変ドメインを含む、請求項１〜４のいずれか一項に記載の抗体またはその抗原結合フラグメント。
【請求項６】
前記抗体またはその抗原結合フラグメントが、組換え抗体、モノクローナル抗体、ポリクローナル抗体、モノクローナル抗体および／またはポリクローナル抗体の混合物、ヒト抗体、ヒト化抗体、またはキメラ抗体である、請求項１〜５のいずれかに記載の抗体またはその抗原結合フラグメント。
【請求項７】
同じ抗原上または異なる抗原上にある２つ以上の異なるエピトープに結合し、前記エピトープの１つが、ヒト前立腺特異的膜抗原（ＰＳＭＡ）上にあり、請求項１〜６のいずれかに記載の軽鎖領域および重鎖領域を含む、多重特異性抗体。
【請求項８】
単離されたキメラ抗原レセプター（ＣＡＲ）であって、前記ＣＡＲが、請求項１〜７のいずれかに記載の抗体またはその抗原結合フラグメント、膜貫通ドメイン、および１つ以上の刺激ドメインを含む細胞内シグナル伝達ドメインを含む、単離されたキメラ抗原レセプター（ＣＡＲ）。
【請求項９】
請求項１〜７のいずれか一項に記載の抗体またはその抗原結合フラグメントまたは請求項８に記載のＣＡＲ、またはこれらの領域をコードする、単離された核酸分子。
【請求項１０】
請求項９に記載の核酸分子を含むベクター。
【請求項１１】
請求項１０に記載のベクターを含む培養宿主細胞。
【請求項１２】
組成物であって、前記組成物は、請求項１〜７のいずれかに記載の抗体またはその抗原結合フラグメント、請求項８に記載のＣＡＲ、請求項９に記載の核酸分子、請求項１０に記載のベクター、または請求項１１に記載の宿主細胞を含み、前記組成物は、好ましくは薬学的に許容される担体をさらに含む医薬組成物である、組成物。
【請求項１３】
被験体におけるＰＳＭＡの発現に関連する疾患の治療に用いられる、請求項１２に記載の組成物。
【請求項１４】
哺乳動物においてＰＳＭＡの発現に関連する疾患の存在を診断する方法であって、この方法が、請求項１２に記載の組成物を含む組成物を用い、前記哺乳動物から単離された組織サンプルをサンプリングすることを含み、前記組織サンプルに対する抗体または抗体フラグメントの特異的な結合が、前記哺乳動物におけるＰＳＭＡの発現に関連する疾患の存在の指標となる方法。
【請求項１５】
被験体におけるＰＳＭＡの発現に関連する疾患を画像化する方法であって、この方法が、請求項１２に記載の組成物を適用する工程を含み、抗体または抗体フラグメントが、試薬に作動可能に連結されている方法。
【手続補正書】
【提出日】令和2年5月12日(2020.5.12)
【手続補正１】
【補正対象書類名】特許請求の範囲
【補正対象項目名】全文
【補正方法】変更
【補正の内容】
【特許請求の範囲】
【請求項１】
睡眠潜時を短縮し、睡眠の深さを深め、及び／又は被験者の睡眠時間を延ばす装置であって、
被験者の前頭部に装着されるように適合された、熱伝達面（２００９）を有する前頭部アプリケータ（２００３、２００３’）と、
前記熱伝達面を冷却するように構成された１又は２以上の冷却ユニット（２００５、２０１５’）と、
前記１又は２以上の冷却ユニットに電気的に結合されて、前記１又は２以上の冷却ユニットの出力及び駆動冷却を調節するように構成されたコントローラ（２００１、２００１’）と、
前記被験者からの生理的パラメータを検出するように構成された１又は２以上のセンサ（２００７、２００７’）と、
を備え、前記１又は２以上のセンサは、前記コントローラに結合され、前記コントローラは、前記１又は２以上のセンサによって検出された前記生理的パラメータから前記被験者が潜水反射を体験しているかどうかを判定し、前記判定に基づいて前記熱伝達領域の温度又は前記熱伝達領域の冷却タイミングの一方又は両方を調整するように構成される、
ことを特徴とする装置。
【請求項２】
前記１又は２以上のセンサは、身体の動き、呼吸数、心拍数、電気皮膚反応、血中酸素濃度、心電図（ＥＣＧ）信号及び脳電図（ＥＥＧ）信号のうちの１つ又は２つ以上を検出するように構成される、
請求項１に記載の装置。
【請求項３】
前記コントローラは、前記被験者が潜水反射を体験しているかどうかを心拍数の低下に基づいて判定するように構成される、
請求項１に記載の装置。
【請求項４】
前記コントローラは、前記アプリケータの前記熱伝達面の温度を潜水反射が検出されるまで低下させるように構成される、
請求項１に記載の装置。
【請求項５】
前記コントローラは、前記アプリケータの前記熱伝達面の温度を、前記潜水反射応答が検出された温度又は該温度未満に維持期間にわたって維持した後、前記アプリケータの前記熱伝達面の前記温度を待機期間にわたって待機温度に上昇させるように構成される、
請求項１に記載の装置。
【請求項６】
前記前頭部アプリケータを前記被験者の頭部に保持するための止め具（２０１、２０３３）をさらに備える、
請求項１に記載の装置。
【請求項７】
前記１又は２以上の冷却ユニットは、熱電冷却器（２０１５’）を含む、
請求項１に記載の装置。
【請求項８】
前記１又は２以上の冷却ユニットは、前記前頭部アプリケータを通過する流体を冷却するように構成される、
請求項１に記載の装置。
【請求項９】
前記１又は２以上の冷却ユニットは、前記前頭部アプリケータ内に存在して前記熱伝達面と連通する、
請求項１に記載の装置。
【請求項１０】
前記コントローラは、前記温度を０℃〜３０℃に制御するように構成される、
請求項１に記載の装置。
【請求項１１】
前記１又は２以上のセンサは、前記前頭部アプリケータの一部である、
請求項１に記載の装置。
【請求項１２】
前記前頭部アプリケータの前記熱伝達面を覆って配置されるように適合された、熱伝導面を有するカバーをさらに含む、
請求項１に記載の装置。
【手続補正書】
【提出日】令和2年3月26日(2020.3.26)
【手続補正１】
【補正対象書類名】特許請求の範囲
【補正対象項目名】全文
【補正方法】変更
【補正の内容】
【特許請求の範囲】
【請求項１】
乗り物内のユーザのための乗り物酔い対策システムであって、
前記ユーザの周辺視野中にのみ提示される視覚刺激を出力するように構成された光アレイ・システムと、
人が前記乗り物の外を見るとすれば前記人が受け取ることになる視覚入力を模倣するようなやり方で前記光アレイ・システムをアクティブ化するように構成された前記光アレイ・システムに制御信号を出力するコントローラと
を備える、乗り物酔い対策システム。
【請求項２】
前記光アレイ・システムは、
電源と、
前記ユーザの周辺視野内で知覚される運動を生成するために複数の光素子のそれぞれの光アクティベーションの連続として、前記制御信号を受け取り、それに応答して選択的にアクティブ化するために、前記コントローラに各々が個別に結合された複数の光素子と
を備える、請求項１に記載の乗り物酔い対策システム。
【請求項３】
前記複数の光素子の各々に個々に結合された複数の光パイプをさらに備え、前記複数の光パイプの各々が、前記複数の光素子の各々から前記光パイプの遠位端に光エネルギーを送信する、
請求項２に記載の乗り物酔い対策システム。
【請求項４】
前記複数の光パイプの前記遠位端が、前記ユーザの視覚パースペクティブに対して傾斜した面に配列された、請求項３に記載の乗り物酔い対策システム。
【請求項５】
前記コントローラが、前記乗り物の速度を模倣するために、前記光アレイ・システムをアクティブ化するために前記光アレイ・システムに前記制御信号を出力する、請求項１に記載の乗り物酔い対策システム。
【請求項６】
前記光アレイ・システムが前記乗り物に搭載された、請求項１に記載の乗り物酔い対策システム。
【請求項７】
前記光アレイ・システムが、前記乗り物のＡピラー、Ｂピラー、フロントガラス、ドア、フロア、前方パネル、側面パネル、及び座席のうちの少なくとも１つに搭載された、請求項６に記載の乗り物酔い対策システム。
【請求項８】
前記光アレイ・システムがポータブルである、請求項１に記載の乗り物酔い対策システム。
【請求項９】
前記光アレイ・システムが乗員によって装着可能である、請求項１に記載の乗り物酔い対策システム。
【請求項１０】
前記光アレイ・システムが乗員に取り付けられる、請求項１に記載の乗り物酔い対策システム。
【請求項１１】
前記光アレイ・システムが、乗員によって装着されるヘッドセットを備える、請求項１に記載の乗り物酔い対策システム。
【請求項１２】
前記光アレイ・システムが、乗員によって装着される眼鏡を備える、請求項１に記載の乗り物酔い対策システム。
【請求項１３】
ユーザのための乗り物酔い対策システムであって、
乗り物と、
前記ユーザの周辺視野中に提示される視覚刺激を出力するように構成された光アレイ・システムと、
人が前記乗り物の外を見るとすれば前記人が受け取ることになる視覚入力を模倣するようなやり方で前記光アレイ・システムをアクティブ化するように構成された前記光アレイ・システムに制御信号を出力するコントローラと
を備える、乗り物酔い対策システム。
【請求項１４】
前記光アレイ・システムは、
電源と、
前記ユーザの周辺視野内で知覚される運動を生成するために複数の光素子のそれぞれの光アクティベーションの連続として、前記制御信号を受け取り、それに応答して選択的にアクティブ化するために、前記コントローラに各々が個別に結合された複数の光素子と
を備える、請求項１３に記載の乗り物酔い対策システム。
【請求項１５】
前記複数の光素子の各々に個々に結合された複数の光パイプをさらに備え、前記複数の光パイプの各々が、前記複数の光素子の各々から前記光パイプの遠位端に光エネルギーを送信する、
請求項１４に記載の乗り物酔い対策システム。
【請求項１６】
前記複数の光パイプの前記遠位端が、前記ユーザの視覚パースペクティブに対して傾斜した面に配列された、請求項１５に記載の乗り物酔い対策システム。
【請求項１７】
前記コントローラが、前記乗り物の速度を模倣するために、前記光アレイ・システムをアクティブ化するために前記光アレイ・システムに前記制御信号を出力する、請求項１３に記載の乗り物酔い対策システム。
【請求項１８】
前記光アレイ・システムが、前記乗り物のａピラー、ｂピラー、フロントガラス、ドア、フロア、前方パネル、側面パネル、及び座席のうちの少なくとも１つに搭載された、請求項１３に記載の乗り物酔い対策システム。
【請求項１９】
前記乗り物が、航空機、船舶、ボート、及び列車からなるグループから選定される、請求項１３に記載の乗り物酔い対策システム。
【請求項２０】
前記光アレイ・システムが、ＬＥＤ、ＬＣＤ、及びビデオ・ディスプレイのうちの少なくとも１つを備える、請求項１３に記載の乗り物酔い対策システム。